(57)【要約】  課題：  本発明は、データ通信終了後に通信端末装置がデタッチをした場合（オフライン状態に遷移）、以降も適切にサービスを受けられるようにネットワークへ復帰する（オンライン状態へ復帰する）方法を提供することにある。  解決手段：  本発明の通信端末装置は、サーバと移動通信ネットワークを経由して通信を行う通信端末装置であって、移動通信ネットワークを経由してのサーバとの通信が完了し無通信状態になったことを検出した場合には、移動通信ネットワークとのデタッチ処理を行いオフライン状態へ移行し、オフライン状態への移行から予め設定された時間が経過すると再アタッチ処理を実施してオンライン状態に移行することを特徴とする。
2016052024.tif 000002
【特許請求の範囲】
【請求項１】
サーバと移動通信ネットワークを経由して通信を行う通信端末装置であって、
移動通信ネットワークを経由してのサーバとの通信が完了し無通信状態になったことを検出した場合には、移動通信ネットワークとのデタッチ処理を行いオフライン状態へ移行し、
オフライン状態への移行から予め設定された時間が経過すると再アタッチ処理を実施してオンライン状態に移行することを特徴とする無線端末装置。
【請求項２】
請求項１記載の無線端末装置であって、
前記無線端末装置には外部機器が接続され、
オフライン状態において前記外部機器からの発信処理が検出されるとアタッチ処理を実施してオンライン状態に移行することを特徴とする無線端末装置。
【請求項３】
請求項１記載の無線端末装置であって、
前記無線端末装置には外部機器が接続され、
オフライン状態において前記外部機器から移動通信ネットワークの状態問合せが検出されるとアタッチ処理を実施してオンライン状態に移行することを特徴とする無線端末装置。
【請求項４】
請求項１記載の無線端末装置であって、
オフライン状態において移動により在圏セルの変更が生じることが検出されるとアタッチ処理を実施してオンライン状態に移行することを特徴とする無線端末装置。
【請求項５】
請求項１記載の無線端末装置であって、
オフライン状態において移動通信ネットワークからの報知情報にアタッチ処理をすべき情報が含まれていることが検出されると、アタッチ処理を実施してオンライン状態に移行することを特徴とする無線端末装置。
【発明の詳細な説明】
【技術分野】
【０００１】
本発明は、移動通信ネットワークにおける通信端末装置のネットワークへの接続状態の変移に関するものである。
【背景技術】
【０００２】
現在、無線によるデータ通信は様々な分野で利用されている。
図９に移動通信ネットワークのシステム構成を示す。
図９の構成は、例えば、自動販売機の管理（商品の管理、売り上げ管理、販売動向管理など）、ＧＰＳ（Global  Positioning  System）と組み合わせた位置管理（タクシー配車管理、バスロケーション、トラックの運行管理など）、監視系（電力監視、エレベータ監視、温度監視、水位監視など）などを実現する際のシステム構成である。【０００３】
外部装置１０４は、データ端末装置（ＤＴＥ：Data  Terminal  Equipment）等であり、サーバ１０１とデータ通信を必要とするタイミングで無線通信モジュール（通信端末装置）１０３の発信制御を行っている。また、サーバ１０１から外部装置１０４へデータ通信を行うための呼出しが発生した場合には、無線通信モジュール１０３の着信制御を行っている。例えば、自動販売機の管理では、売り上げ集計や売り切れを通知する際に発信しサーバ１０１とデータ通信を行う。また、サーバ１０１からの在庫数把握の際は着信を受けてサーバ１０１とデータ通信を行う。【０００４】
上述のような移動通信ネットワークとしては、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において仕様を定められている、ＬＴＥ（Ｌｏｎｇ  Ｔｅｒｍ  Ｅｖｏｌｕｔｉｏｎ）ネットワークがある。ＬＴＥネットワークにおいて通信端末装置がネットワークに接続されている場合、通信端末装置は、登録状態となる。また、通信端末装置が登録状態である場合、通信端末装置はその無線接続の状態により、「プリザベーション状態」及び「オフライン状態」という、２つの異なる接続状態になり得る。なお、本説明においては、ネットワーク登録状態でかつ通信接続中状態を「オンライン状態」、ネットワーク登録状態でかつ無線区間のみ接続解除状態を「プリザベーション状態」、ネットワーク登録解除状態（通信接続解除含む）を「オフライン状態」（待受け中）と称することとする。【０００５】
一方、通信端末装置の電源入っていない場合や、移動通信ネットワークに接続されていない場合、通信端末装置はオフライン状態となる。オフライン状態では、通信端末装置は、ネットワークに位置が知られていない状態であり、ネットワークからアクセスされることはない。一般に、通信端末装置がネットワークに接続されている場合（オンライン状態）、ネットワーク内に当該通信端末装置用のコンテキストが存在し、ネットワーク内に通信用のリソース（無線リソース及び上位系リソース）を確保する。通信端末装置用のコンテキストとは例えば、通信端末装置の位置情報や使用ベアラ情報、ＩＰ設定などである。通信端末装置がネットワークからデタッチした場合（オフライン状態に遷移した場合）、ネットワーク内のこの通信端末装置用のコンテキストは削除され、通信用のリソースは全て解放される。ＬＴＥネットワークはいわゆる常時接続を前提としており、通信端末装置へ電源を投入すると、アタッチ処理によるネットワークへの登録と通信用の接続処理を実行し、オンライン状態へと遷移する。また、ＬＴＥネットワークでは、或る時間の上りリンク及び下りリンクにおいてデータ又はシグナリング伝送が無い場合、通信端末装置はプリザベーション状態になる。プリザベーション状態では、通信端末装置の無線リソースは解放されるが、ネットワーク内の通信端末装置用のコンテキスト及び上位系リソースは依然として維持され、通信端末装置も有効なＩＰ設定を依然として有する。【０００６】
図1の従来技術における通信終了後の動作シーケンスを用いて上記をさらに詳述する。図１はＭ２Ｍ（Ｍａｃｈｉｎｅ−ｔｏ−Ｍａｃｈｉｎｅ）用の通信端末装置、通信端末装置を制御する外部機器、ＬＴＥネットワーク、ネットワーク経由で接続されているサーバ間のシーケンスを示している。
Ｍ２Ｍ通信端末装置、ＬＴＥネットワークを介して、外部機器とサーバが通信中の状態（Ｓ１０１）からデータの送受信が終了する（Ｓ１０２ａ及びＳ１０２ｂ）と、しばらくはＭ２Ｍ通信端末装置とサーバ間で接続中状態が維持される（Ｓ１０３）。この時点から所定の時間経過する（Ｓ１０４）と、すなわち、ネットワークが通信端末装置においてデータの送受信が行われていないことを検出すると、ＬＴＥネットワークからＭ２Ｍ通信端末装置へ無線区間解放が指示される（Ｓ１０５）。無線区間が解放される（Ｓ１０６）とＭ２Ｍ通信端末はオンライン状態からプリザベーション状態へ遷移する（Ｓ１０８）。ただし、ＬＴＥネットワークとサーバ間は接続中のまま、すなわち上位系リソースを確保した状態を維持する（Ｓ１０７）。【０００７】
ここで、通信端末装置がいわゆるＭ２Ｍ用としてシステムに使用されている場合と考える。一般的にＭ２Ｍ通信は低頻度、長周期、少量データという特徴があるので、実質的には無線リソースや上位系リソースを使用していない時間が相当量あると考えられ、ネットワーク全体でのリソース最適化のために使用しないリソースは解放したいという要求がある。これを実現するためには、通信端末装置がデータ送信完了後にオフライン状態になる必要がある。すなわち、通信端末装置は、通信していなときはデタッチされるべきということである。【０００８】
上述の通信完了後及び通信していない時のデタッチ処理について、図２の通信端末装置で無通信状態を検出した場合のデタッチシーケンス、および図３のネットワークで無通信状態を検出した場合のデタッチシーケンスを用いて説明する。
図２の通信端末装置で無通信状態を検出した場合のデタッチシーケンスにおいて、外部機器とサーバ間が通信中の状態（Ｓ２０１）からデータの送受信が終了する（Ｓ２０２ａ及びＳ２０２ｂ）と、Ｍ２Ｍ通信端末装置が無通信状態を検出する（Ｓ２０３）。無通信状態を検出すると、Ｍ２Ｍ通信端末装置はＬＴＥネットワークに対してデタッチ要求を行う（Ｓ２０４）。それを受けてＬＴＥネットワークからＭ２Ｍ通信端末装置に対してデタッチ受付を通知（Ｓ２０５）して、それぞれデタッチ処理を行う（Ｓ２０６ａ及びＳ２０６ｂ）。Ｍ２Ｍ通信端末装置はデタッチ処理実施後、オフライン状態（待受け中）へ遷移する（Ｓ２０７）。【０００９】
更に、図３のネットワークで無通信状態を検出した場合のデタッチシーケンスにおいて、外部機器とサーバ間が通信中の状態（Ｓ３０１）からデータの送受信が終了する（Ｓ３０２ａ及びＳ３０２ｂ）と、ＬＴＥネットワークが無通信状態を検出する（Ｓ３０３）。無通信状態を検出すると、ＬＴＥネットワークはＭ２Ｍ通信端末装置に対してデタッチ要求を行う（Ｓ３０４）。それを受けてＭ２Ｍ通信端末装置からＬＴＥネットワークに対してデタッチ受付を通知（Ｓ３０５）して、それぞれデタッチ処理を行う（Ｓ３０６ａ及びＳ３０６ｂ）。Ｍ２Ｍ通信端末装置はデタッチ処理実施後、オフライン状態（待受け中）へ遷移する（Ｓ３０７）。【００１０】
これにより、通信端末装置がデタッチした場合には、その通信端末装置からは何れのシグナリングも生成されず（例えば、プリザベーション状態の通信端末装置は周期的にネットワークに対して更新情報を伝送する）、さらに、ネットワークの通信用リソースが占有されなくなる。
しかしながら、上述のオフライン状態は、通信端末装置がネットワーク経由でいかなるサービスの提供も受けることが出来ない状態であり、例えばサーバ側が契機で、ネットワークを経由して通信端末装置に対してデータ伝送しようとした場合、通信端末装置が圏外にいることになるので、データ伝送等が出来ないという状況が発生する可能性がある。基本的には通信端末装置から再アタッチすれば良いが、デタッチ直後に再アタッチすれば、実質的にリソースを解放したことにならないばかりか、このデタッチ、再アタッチのための必要以上のシグナリングが頻繁に発生する可能性がある。
【先行技術文献】
【非特許文献】
【００１１】
【非特許文献１】3GPP  TS  23.401  v8.18.0：  General  Packet  Radio  Service（GPRS）  enhancements  for  Evolved  Universal  Terrestrial  Radio  Access  Network  （E-UTRAN）  access
【非特許文献２】3GPP  TS  27.007  V9.9.0：  AT  command  set  for  User  Equipment（UE）
【発明の概要】
【発明が解決しようとする課題】
【００１２】
無線通信装置において、無通信状態をオフライン状態に移行させた場合に、ネットワークを経由して通信端末装置に対してデータ伝送しようとした場合、データ伝送等が出来ないという状況が発生する可能性があった。また、デタッチ、再アタッチのための必要以上のシグナリングが頻繁に発生する可能性があった。
本発明の目的は、データ通信終了後に通信端末装置がデタッチをした場合（オフライン状態に遷移）、以降も適切にサービスを受けられるようにネットワークへ復帰する（オンライン状態へ復帰する）方法を提供することにある。
【課題を解決するための手段】
【００１３】
本発明の通信端末装置は、サーバと移動通信ネットワークを経由して通信を行う通信端末装置であって、移動通信ネットワークを経由してのサーバとの通信が完了し無通信状態になったことを検出した場合には、移動通信ネットワークとのデタッチ処理を行いオフライン状態へ移行し、オフライン状態への移行から予め設定された時間が経過すると再アタッチ処理を実施してオンライン状態に移行することを特徴とする。【００１４】
また、本発明の通信端末装置は、上述の通信端末装置であって、無線端末装置には外部機器が接続され、オフライン状態において外部機器からの発信処理が検出されるとアタッチ処理を実施してオンライン状態に移行することを特徴とする。【００１５】
また、本発明の通信端末装置は、上述の通信端末装置であって、無線端末装置には外部機器が接続され、オフライン状態において外部機器から移動通信ネットワークの状態問合せが検出されるとアタッチ処理を実施してオンライン状態に移行することを特徴とする。【００１６】
また、本発明の通信端末装置は、上述の通信端末装置であって、オフライン状態において移動により在圏セルの変更が生じることが検出されるとアタッチ処理を実施してオンライン状態に移行することを特徴とする。【００１７】
また、本発明の通信端末装置は、上述の通信端末装置であって、オフライン状態において移動通信ネットワークからの報知情報にアタッチ処理をすべき情報が含まれていることが検出されると、アタッチ処理を実施してオンライン状態に移行することを特徴とする。
【発明の効果】
【００１８】
本発明によれば、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、オンライン状態に復帰するための待ち時間を設定するオンライン復帰タイマをデタッチ後に開始し、オンライン復帰タイマが満了することを契機に、再アタッチ処理を実施してオンライン状態に復帰すること、または、通信端末装置と接続している外部機器でのデータ発生に伴う通信端末装置への発信処理を契機に、再アタッチ処理を実施してオンライン状態に復帰すること、または、通信端末装置と接続している外部機器からの通信端末装置へのネットワーク状態の問い合わせを契機に、再アタッチ処理を実施してオンライン状態に復帰すること、または、通信端末装置が待受け中に移動し、待受け中のセルが変更になったのを契機に、再アタッチ処理を実施してオンライン状態に復帰すること、または、ネットワークにおいて報知情報の中に通信端末装置が認識し得る再アタッチ契機となるような情報を挿入して報知情報を更新し、更新した報知情報を配下の全通信端末に対して送信し、通信端末装置において受信した更新された報知情報から再アタッチ契機を認識したことを契機に、再アタッチ処理を実施してオンライン状態に復帰することにより、オフライン状態によりサービスの提供も受けることが出来ない状態を適切に解消し、必要以上のシグナリングが発生することなくオンライン状態に復帰してサービスの提供を受けることが可能となる。
【図面の簡単な説明】
【００１９】
【図１】従来技術における通信終了後の動作シーケンス図である。
【図２】通信端末装置で無通信状態を検出した場合のデタッチシーケンス図である。
【図３】ネットワークで無通信状態を検出した場合のデタッチシーケンス図である。
【図４】本発明の一実施形態に係るオンライン復帰タイマによる接続状態復帰シーケンス図である。
【図５】本発明の一実施形態に係る新規データ発生による接続状態復帰シーケンス図である。
【図６】本発明の一実施形態に係るネットワーク状態問合せによる接続状態復帰シーケンス図である。
【図７】本発明の一実施形態に係る待受けセル移動よる接続状態復帰シーケンス図である。
【図８】本発明の一実施形態に係る報知情報更新よるネットワーク契機の接続状態復帰シーケンス図である。
【図９】移動通信ネットワークのシステム構成図である。
【発明を実施するための形態】
【００２０】
以下に、本発明の実施の形態について、通信端末装置における移動通信ネットワークへの登録解除、及び通信接続解除した状態であるオフライン状態から、再登録及び接続状態であるオンライン状態へ復帰する手順について図面を参照して詳細に説明する。
【００２１】
（実施例１）   図４は、本発明の一実施形態に係るオンライン復帰タイマによる接続状態復帰シーケンス図である。
外部機器とサーバ間が通信中の状態（Ｓ４０１）からデータの送受信が終了する（Ｓ４０２ａ及びＳ４０２ｂ）と、Ｍ２Ｍ通信端末装置が無通信状態を検出する（Ｓ４０３）。無通信状態を検出すると、Ｍ２Ｍ通信端末装置はＬＴＥネットワークに対してデタッチ要求を行う（Ｓ４０４）。それを受けてＬＴＥネットワークからＭ２Ｍ通信端末装置に対してデタッチ受付を通知（Ｓ４０５）して、それぞれデタッチ処理を行う（Ｓ４０７ａ及びＳ４０７ｂ）。ＬＴＥネットワークはデタッチ処理と並行してサーバ側との切断処理を実施する（Ｓ４０６）。
Ｍ２Ｍ通信端末装置はデタッチ処理実施後、オンライン状態に復帰するためのタイマ（オンライン復帰タイマ）を開始（Ｓ４０８）し、待受け中へ遷移する（Ｓ４０９）。
タイマの時間については、このＭ２Ｍ通信端末装置を使用しているアプリケーションにおける通信形態（通信周期や頻度）に応じて設定することで、必要以上のシグナリングが発生することを抑制することが可能である。
Ｍ２Ｍ通信端末装置が待受け中にオンライン復帰タイマが満了すると（Ｓ４１０）、Ｍ２Ｍ通信端末装置はネットワークに対してアタッチ要求を実施する（Ｓ４１１）。ネットワークでは当該Ｍ２Ｍ通信端末装置のネットワーク登録処理を実施し（Ｓ４１２）、当該Ｍ２Ｍ通信端末装置に対してアタッチ受付通知と無線接続要求を実施する（Ｓ４１４）。また、ネットワークでは並行してサーバ側との接続処理を実施する（Ｓ４１３）。Ｍ２Ｍ通信端末装置はネットワークからの接続要求を受けて、無線接続処理を実施し（Ｓ４１５）アタッチの完了と無線接続の完了をネットワークに通知し（Ｓ４１６）、Ｍ２Ｍ通信端末装置とサーバ間が接続中状態、すなわちオンライン状態に遷移する（Ｓ４１７）。オンライン状態に遷移すると、外部機器とサーバ間では必要に応じて通信を行うことが可能となり、各種サービスの提供を受けることが可能となる。
【００２２】
本実施例において通信端末装置は、移動通信ネットワークへの登録解除、及び通信接続解除した状態であるオフライン状態から、再登録及び接続状態であるオンライン状態へ復帰するために、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、オンライン状態に復帰するための待ち時間を設定するオンライン復帰タイマを有し、デタッチ後開始されたオンライン復帰タイマが満了することを契機に、再アタッチ処理を実施してオンライン状態に復帰することで接続状態を復帰することができる。
【００２３】
（実施例２）   図５は、本発明の一実施形態に係る新規データ発生による接続状態復帰シーケンス図である。
Ｓ５０１からＳ５０７ａ及びＳ５０７ｂまでは、実施例１における図４のＳ４０１からＳ４０７ａ及びＳ４０７ｂと同様であり、説明を省略する。Ｍ２Ｍ通信端末装置はデタッチ処理実施後、待受け中へ遷移する（Ｓ５０８）。
次に外部機器において新規データが発生する（Ｓ５０９）と外部機器からＭ２Ｍ通信端末装置に対して発信する（Ｓ５１０）。外部機器から発信されるとＭ２Ｍ通信端末装置はネットワークに対してアタッチ要求を実施する（Ｓ５１１）。Ｓ５１２からＳ５１６までは実施例１における図４のＳ４１２からＳ４１６と同様であり、説明を省略する。Ｓ５１６までの処理が外部機器からサーバ間で実施されると、外部機器からサーバ間で通信中（オンライン状態）となり、また、各種サービスの提供を受けることが可能となる。
【００２４】
本実施例において通信端末装置は、移動通信ネットワークへの登録解除、及び通信接続解除した状態であるオフライン状態から、再登録及び接続状態であるオンライン状態へ復帰するために、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、通信端末装置と接続している外部機器でのデータ発生に伴う通信端末装置への発信処理を契機に、再アタッチ処理を実施してオンライン状態に復帰することで接続状態を復帰することができる。
なお、実施例1におけるオンライン状態に復帰するための待ち時間を設定するオンライン復帰タイマを有し、デタッチ後開始されたオンライン復帰タイマが満了することを契機に、再アタッチ処理を実施してオンライン状態に復帰することと併用するとより効果的である。
【００２５】
（実施例３）   図６は、本発明の一実施形態に係るネットワーク状態問合せによる接続状態復帰シーケンス図である。
Ｓ６０１からＳ６０８までは、実施例１における図４のＳ４０１からＳ４０７ａ及びＳ４０７ｂ、実施例２における図５のＳ５０８と同様であり、説明を省略する。
次に外部機器において例えばネットワークの状態を確認したい状況が発生し、ネットワークの状態を確認するコマンド等を発行する（Ｓ６０９）とＭ２Ｍ通信端末装置はネットワークに対してアタッチ要求を実施する（Ｓ６１０）。Ｓ６１１からＳ６１６までは実施例１における図４のＳ４１２からＳ４１７と同様であり、説明を省略する。オンライン状態に遷移すると、外部機器からサーバ間では必要に応じて通信を行うことが可能となり、またネットワークから状態情報を取得することが可能となり、各種サービスの提供を受けることが可能となる。
そしてネットワークから取得したネットワーク状態をネットワーク状態応答として外部機器に出力する（Ｓ６１７）。
【００２６】
本実施例において通信端末装置は、移動通信ネットワークへの登録解除、及び通信接続解除した状態であるオフライン状態から、再登録及び接続状態であるオンライン状態へ復帰するために、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、通信端末装置と接続している外部機器からの通信端末装置へのネットワーク状態の問い合わせを契機に、再アタッチ処理を実施してオンライン状態に復帰することで接続状態を復帰することができる。
なお、実施例1におけるオンライン状態に復帰するための待ち時間を設定するオンライン復帰タイマを有し、デタッチ後開始されたオンライン復帰タイマが満了することを契機に、再アタッチ処理を実施してオンライン状態に復帰することと併用するとより効果的である。
【００２７】
（実施例４）   図７は、本発明の一実施形態に係る待受けセル移動よる接続状態復帰シーケンス図である。
Ｓ７０１からＳ７０８までは、実施例１における図４のＳ４０１〜Ｓ４０７ａ及びＳ４０７ｂ、実施例２における図５のＳ５０８と同様であり、説明を省略する。
次にＭ２Ｍ通信端末装置が待受け中に移動し、待受けセルが変更する（Ｓ７０９）とＭ２Ｍ通信端末装置はネットワークに対してアタッチ要求を実施する（Ｓ７１０）。なお、待受けセルの変更については、例えばネットワークからの報知情報の変化などにより認識できる。Ｓ７１１からＳ７１６までは実施例１における図４のＳ４１２からＳ４１７と同様であり、説明を省略する。オンライン状態に遷移すると、外部機器からサーバ間では必要に応じて通信を行うことが可能となり、各種サービスの提供を受けることが可能となる。
【００２８】
本実施例において通信端末装置は、移動通信ネットワークへの登録解除、及び通信接続解除した状態であるオフライン状態から、再登録及び接続状態であるオンライン状態へ復帰するために、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、通信端末装置が待受け中に移動し、待受け中のセルが変更になったのを契機に、再アタッチ処理を実施してオンライン状態に復帰することで接続状態を復帰することができる。
なお、実施例1におけるオンライン状態に復帰するための待ち時間を設定するオンライン復帰タイマを有し、デタッチ後開始されたオンライン復帰タイマが満了することを契機に、再アタッチ処理を実施してオンライン状態に復帰することと併用するとより効果的である。
【００２９】
（実施例５）   図８は、本発明の一実施形態に係る報知情報更新よるネットワーク契機の接続状態復帰シーケンス図である。
Ｓ８０１からＳ８０８までは、実施例１における図４のＳ４０１からＳ４０７ａ及びＳ４０７ｂ、実施例２における図５のＳ５０８と同様であり、説明を省略する。
待受け中にＭ２Ｍ通信端末装置は、ネットワークから配下の全端末装置に送信されている報知情報を周期的に受信している。当該Ｍ２Ｍ通信端末装置はデタッチしているので、ネットワークへの登録が解除されており、当該Ｍ２Ｍ通信端末装置に対して個別にネットワークからアクセスすることは出来ないが、報知情報により全端末に対して何らかの通知を行うことは可能である。本実施例ではこれを利用する。すなわち、ネットワークで報知情報の中に通信端末装置が認識し得る再アタッチ契機となるような情報を挿入して送信し、これを受信した当該Ｍ２Ｍ通信端末が再アタッチ契機を認識し、アタッチを実施するという動作である。
通信が終了しオフライン状態となったＭ２Ｍ通信端末装置に対して再アタッチ契機を認識してもらうために、ネットワークにおいて再アタッチ契機となる情報を報知情報に挿入し、報知情報を更新する（Ｓ８０９）。そして、更新した報知情報を配下の全通信端末に対して送信する（Ｓ８１０）。更新された報知情報を受信した当該Ｍ２Ｍ通信端末装置は、報知情報の更新を検出し、更新内容により再アタッチ契機を認識する（Ｓ８１１）。再アタッチ契機を認識すると、Ｍ２Ｍ通信端末装置はネットワークに対してアタッチ要求を実施する（Ｓ８１２）。Ｓ８１３からＳ８１８までは実施例１における図４のＳ４１２からＳ４１７と同様であり、説明を省略する。オンライン状態に遷移すると、外部機器からサーバ間では必要に応じて通信を行うことが可能となり、各種サービスの提供を受けることが可能となる。
【００３０】
本実施例において通信端末装置は、移動通信ネットワークへの登録解除、及び通信接続解除した状態であるオフライン状態から、再登録及び接続状態であるオンライン状態へ復帰するために、移動通信ネットワークを経由しての通信端末装置とサーバ間の通信が完了し、無通信状態になったことを検出することによって、ネットワーク内の通信用のリソースを解放するためにデタッチ処理を実施してオフライン状態に移行した後、ネットワークにおいて報知情報の中に通信端末装置が認識し得る再アタッチ契機となるような情報を挿入して報知情報を更新し、更新した報知情報を配下の全通信端末に対して送信し、通信端末装置において受信した更新された報知情報から再アタッチ契機を認識したことを契機に、再アタッチ処理を実施してオンライン状態に復帰することで接続状態を復帰することができる。
なお、実施例1におけるオンライン状態に復帰するための待ち時間を設定するオンライン復帰タイマを有し、デタッチ後開始されたオンライン復帰タイマが満了することを契機に、再アタッチ処理を実施してオンライン状態に復帰することと併用するとより効果的である。
【００３１】
以上本発明の実施例について詳細に説明したが、本発明は、ここに記載された通信端末装置に限定されるものではなく、上記以外の通信端末装置に広く適用することができることは言うまでもない。
【００３２】
この出願は、２０１４年９月２９日に出願された日本出願特願２０１４−１９８５１７を基礎として優先権の利益を主張するものであり、その開示の全てを引用によってここに取り込む。
【産業上の利用可能性】
【００３３】
本発明は、移動通信ネットワークにおける無線端末装置のネットワークへの接続状態の変移に好適である。
【符号の説明】
【００３４】
１０１：サーバ、１０２：無線ネットワーク、１０３：無線通信モジュール（通信端末装置）、１０４：外部装置、１０５：ネットワーク、１０６：基地局。
【図１】
2016052024.tif 000003
【図２】
2016052024.tif 000004
【図３】
2016052024.tif 000005
【図４】
2016052024.tif 000006
【図５】
2016052024.tif 000007
【図６】
2016052024.tif 000008
【図７】
2016052024.tif 000009
【図８】
2016052024.tif 000010
【図９】
2016052024.tif 000011
【国際調査報告】
2016052024.tif 000012
2016052024.tif 000013